(57)【要約】  本発明は、クランプ連結によるエアバッグ・モジュールにおけるガスバッグ取り付け具に関する。前記エアバッグ・モジュールは、ガスバッグの注入口を保持するための保持リングを伴うエアバッグ容器内に構成され、前記エアバッグ容器は、前記エアバッグ・モジュールと前記保持リングを共に包囲する。前記保持リングの外側幅は、前記ガスバッグが展開する際に生じる主引張方向に減少し、一方前記エアバッグ容器またはこれに対応する構成要素の少なくとも数箇所の幅は、前記保持リング上方で、前記保持リングの最大幅より小さい。前記注入口を形成する前記ガスバッグの下端部は、前記保持リングに折り重ねられ、前記保持リングと前記エアバッグ容器または前記対応する構成要素との間に延在する。前記保持リング（３）の外側の断面は、前記ガスバッグ展開時に生じる前記主引張方向（Ｚ）に、少なくとも１箇所の円錐状にテーパーの形状を伴って与えられる。前記エアバッグ容器または前記対応する構成要素の内壁の断面（７）は、前記主引張方向（Ｚ）と略同方向に延在し、前記円錐状にテーパーの断面に従う。    【選択図】  図３
2009523093.tif 000002
【特許請求の範囲】
【請求項１】
クランプ連結によるエアバッグ・モジュール内のエアバッグ取り付け具であって、前記エアバッグ・モジュールは、前記エアバッグ・モジュールと保持リングの両方を包囲するエアバッグ容器内にて、前記エアバッグの注入口を保持するための前記保持リングと共に構成され、
前記保持リングは、前記エアバッグ展開時に生じる主引張方向において、外側面で減幅し、
前記エアバッグ容器または前記エアバッグ容器に対応する構成要素は、前記保持リング上方で、少なくとも部分的に前記保持リングの最大幅より小さい幅とされており、
前記注入口を形成する前記エアバッグの下端部は、前記保持リング上に折り重ねられ、前記保持リングと前記エアバッグ容器または前記対応する構成要素との間に延在し、
前記保持リング（３）は、断面では当該リング外側面にて、前記エアバッグ展開時に生じる主引張方向（Ｚ）に少なくとも１箇所の円錐状テーパー部（４）を有し、前記エアバッグ容器（５）または前記対応する構成要素（１８）の内壁の少なくとも略同方向に延在する箇所（７）は、当該テーパー箇所と関連づけられることを特徴とするエアバッグ取り付け具。
【請求項２】
請求項１に記載のエアバッグ取り付け具であって、前記保持リングは、円形、矩形または楕円形であることを特徴とするエアバッグ取り付け具。
【請求項３】
請求項１または２に記載のエアバッグ取り付け具であって、前記保持リングと対応する前記エアバッグ容器（２２）の箇所は、少なくとも１つの分離した構成要素（１８）として構成され、当該構成要素は、前記保持リングを導入後、前記エアバッグ容器（２２）内に前記エアバッグ（１）と共に挿入可能とされていることを特徴とするエアバッグ取り付け具。
【請求項４】
請求項３に記載のエアバッグ取り付け具であって、前記挿入可能な構成要素（１８）は、前記エアバッグ容器（２２）にラッチ係合可能とされていることを特徴とするエアバッグ取り付け具。
【請求項５】
請求項３または４に記載のエアバッグ取り付け具であって、前記挿入可能な構成要素は、リング（１８）として構成されることを特徴とするエアバッグ取り付け具。
【請求項６】
請求項３から５のいずれか一項に記載のエアバッグ取り付け具であって、前記挿入可能な構成要素（１８）は、ラッチ・フック（２０）を有し、当該ラッチ・フックと前記エアバッグ容器（２２）内の溝（２１）が協働することを特徴とするエアバッグ取り付け具。
【請求項７】
請求項３から６のいずれか一項に記載のエアバッグ取り付け具であって、前記ラッチ・フック（２０）は、互いに離間して構成される分離したフックとして構成されることを特徴とするエアバッグ取り付け具。
【請求項８】
請求項３から７のいずれか一項に記載のエアバッグ取り付け具であって、前記ラッチ・フック（２０）は、環状に形成されていることを特徴とするエアバッグ取り付け具。
【請求項９】
請求項１または２に記載のエアバッグ取り付け具であって、前記保持リング（２６）の前記挿入のための前記エアバッグ容器（２３）は、片側に開口部（２４）を有し、当該開口部はカバー部（２５）によって閉止可能とされていることを特徴とするエアバッグ取り付け具。
【請求項１０】
請求項９に記載のエアバッグ取り付け具であって、前記カバー部（２５）の内壁（２７）は、前記エアバッグ容器（２３）の対向側の壁（２８）と同等形状を有することを特徴とするエアバッグ取り付け具。
【請求項１１】
請求項１または２に記載のエアバッグ取り付け具であって、環状保持リング（３４）を使用する際、前記エアバッグ容器（３１）と前記保持リング（３４）は、前記エアバッグ容器（３１）内にてバヨネット式閉止方法によって前記保持リング（３４）の取り付けを可能とする部分を有することを特徴とするエアバッグ取り付け具。
【請求項１２】
請求項１から１１のいずれか一項に記載のエアバッグ取り付け具であって、前記エアバッグ（１）の前記注入口（２）は、筒状とされていることを特徴とするエアバッグ取り付け具。
【発明の詳細な説明】
【技術分野】
【０００１】
本発明は、請求項１の前段部分に基づく、クランプ結合によるエアバッグ・モジュール内のエアバッグ取り付け具に関する。
【背景技術】
【０００２】
エアバッグ端部を貫通して延在するネジ連結に依らずにエアバッグが保持される、クランプ連結によるエアバッグ取り付け具は、多くの実施例にて公知である。ＵＳ特許５９３１４９１号では、エアバッグの注入口がガス発生器の下端部とエアバッグ・ハウジングの下端部との間に延在し、エアバッグ・ハウジングの外部を取り巻くクランプ部によって前記構成要素間にクランプされるエアバッグ取り付け具が公知である。この構成の欠点は、充分なクランプ効果を得るため、エアバッグをクランプするためのクランプ部の端部は互いにネジ止めされなければならないことである。
【特許文献１】ＵＳ５９３１４９１号
【０００３】
さらにクランプ・リングを用いたエアバッグ取り付け具はＵＳ特許５８２６９１３号により公知である。この構成では、保持リングは、エアバッグの注入口の端部に設けられる。エアバッグの注入口端部は、保持リングを封入し、エアバッグの端部が固定されるように、当該保持リングがクランプ・リングにより取り付けプレートに押圧される。この構成は、クランプ・リングが複雑な構造となってしまうという欠点を有する。
【特許文献２】ＵＳ５８２６９１３号
【０００４】
さらに、ＵＳ特許５５７７７６３号に係るエアバッグ・モジュールでは、円形の断面を有する保持リングは、注入口の端部に縫い込まれている。この注入口は、エアバッグの取り付け後に、キャリア・プレートとクランプ・リングとの間にクランプされ、当該クランプ・リングは部分的に保持リングの断面に沿った形状である。この構成では、クランプ・リングおよび取り付けプレートは共に複雑な形状を有する。
【特許文献３】ＵＳ５５７７７６３号
【発明の開示】
【発明が解決しようとする課題】
【０００５】
本発明は、クランプによるエアバッグ・モジュール内でのエアバッグ注入口の取り付けを簡素化することを課題とする。
【課題を解決するための手段】
【０００６】
本発明に基づき、この課題は請求項１の特徴に基づいて解決される。
【０００７】
クランプ連結によるエアバッグ・モジュール内でのエアバッグの取り付け具において、エアバッグ・モジュールは、エアバッグの注入口を保持するための保持リングと共に、エアバッグ・モジュールと保持リングの両方を包囲するエアバッグ容器内に構成され、本発明に基づき、保持リングは、エアバッグ展開時に生じる主引張方向にて、外側面が減幅する。さらに、エアバッグ容器またはこれに付随する構成要素は、保持リングの上方で、保持リングの最大幅より少なくとも部分的に小さい幅を有し、注入口を形成するエアバッグの下端部は、保持リング上に折り重ねられ、保持リングとエアバッグ容器またはこれに対応する構成要素との間に延在する。
【０００８】
前記構成は、保持リングの特殊な断面形状のため、エアバッグ容器がクランプ連結のために使用可能であるという利点を有する。従って、エアバッグ容器から独立して構成される追加的なクランプ・リングは不要である。さらに重要な利点は、本発明に係る構成が、セルフ・ロック式に作用することである。展開中のエアバッグの引張力が強まるほど、クランプされたエアバッグに掛かる圧力が大きくなり、その結果、エアバッグのセルフ・ロック式の確実な連結が保証される。
【０００９】
好ましい実施例では、保持リングは、エアバッグ展開時に生じる主引張方向にて、外側面に少なくとも１箇所の円錐状テーパー部を有する断面を有し、当該テーパー部に、少なくとも略同方向に延在するエアバッグ容器または対応する構成要素の内壁が関連付けられる。従って、主引張方向にて、保持リングは、外直径が次第に小さく、および／または減幅になり、エアバッグ容器内壁の同方向に延在する箇所もまた同様に、主引張方向に減幅になる。
【００１０】
更なる実施例では、保持リングは、外側面上にて湾曲した構造を有する。この実施例の更なる変更例では、保持リングが円形または楕円形の断面を有する様に構成されている。
【００１１】
保持リングは、環状の構造であることが好ましいが、矩形、または楕円形の構造であってもよい。
【００１２】
保持リングをエアバッグ容器内に容易な方法で導入するため、様々な実施例が提案され得る。従って、エアバッグ容器の保持リングに対応する箇所は、少なくとも１つの分離した構成要素であり、保持リング導入後にエアバッグ容器内にエアバッグと共に挿入されてもよいことが提案されている。好ましくは、この構成要素は、エアバッグ容器にラッチ係合されてもよい。
【００１３】
挿入可能な構成要素は、リングとして構成されることが好ましい。エアバッグ容器内に取り付けるために、挿入可能な構成要素は、ラッチ・フックを有し、当該ラッチ・フックにエアバッグ容器内の溝が関連付けられる。ラッチ・フックは互いに離間して構成されている個別のフックであっても、また環状に構成されていてもよい。
【００１４】
乗員向きエアバッグ用の矩形保持リングに特に好適な、更なる実施例では、保持リングの挿入のためエアバッグ容器は、片側に開口部を有する。当該開口部は、カバー部によって閉止されてもよい。カバー部の内壁がエアバッグ容器の対向側の壁と同じ形状を有することが好ましく、その結果、保持リング上方のこの領域ではエアバッグ容器もまた、保持リングの最大幅より小さい幅を有する。
【００１５】
特に運転者向きエアバッグ用である環状の保持リングを使用する際、エアバッグ容器および保持リングは、エアバッグ容器内において、バヨネット式（抜け止め式の）閉止方法にて保持リングの取り付けを可能とする箇所を複数有してもよい。この連結では、保持リングは、エアバッグの折り返し端部と共にエアバッグ容器内に挿入、次いで回転され、その結果、保持リングの当該箇所は、エアバッグ容器の対応する箇所の下に係合する。
【００１６】
エアバッグの注入口を筒状とするのが好適である。
【発明を実施するための最良の形態】
【００１７】
図１では、エアバッグ１の一部が筒状注入口２と共に図示され、当該部分に保持リング３が取り付けられる。この保持リング３は、外側面に傾斜部４を有し、当該傾斜部は、エアバッグ１の展開時に生じる主引張方向（Ｚ）にこの保持リングが減幅するよう延在する。エアバッグ取り付け中に、エアバッグ１の注入口２は、第一段階では、図１に図示されるように、保持リング３を貫通して誘導される。次いで、注入口端部は、図２に図示されるように、保持リング３上に重ねられる。
【００１８】
エアバッグ容器５は、保持リングに面した側面にて、保持リング３と同方向に幅が変化する張出部６を有し、そのため、保持リング３の傾斜部４とエアバッグ容器５の張出部６の傾斜部７は、互いに略平行に延在する。図２に図示されるように、保持リングが注入口２の折り重ねられた端部と共に、図３に図示されるように容器終端位置に到達するまで、張出部６の領域に押し込まれることにより、エアバッグ１はエアバッグ容器内に取り付けられる。
【００１９】
エアバッグ１の展開時に、引張力Ｆｚｕｇの結果、保持リング３は、張出部６に押圧される。よって、保持リングとリング保持部との間に位置する注入口２の終端部はクランプされる。この連結部では、前記構成はセルフ・ロッキング状に作用する。これは、展開中のエアバッグの引張力Ｆｚｕｇが大きいほど、クランプされた注入口終端部に、結果的に生じる圧力が大きくなるためである。
【００２０】
本発明に係る構成は、保持リングに関して、図１から図３に図示された断面形状と異なる断面形状を有することも可能である。このため、図４では、保持リング８が外側面に湾曲部９を有することが示されている。エアバッグ容器１１の凹状湾曲部１０は、凸状に延在するこの湾曲部に対応する。
【００２１】
図５では、円形の断面を有する保持リングに関する構成が図示されている。エアバッグ容器１４の凹状湾曲部１３が、この保持リングと対応する。
【００２２】
図６では、楕円形の断面を有する保持リング１５に関する構成が図示されている。エアバッグ容器１７の凹状湾曲部１６もまた、この保持リングに対応する。
【００２３】
図７では、保持リングに関連付けられる箇所が、分離したリング１８として構成されていることが、実施例にて図示されている。当該リングもまた、保持リングに対応した面を有し、当該表面は、この実施例では傾斜部１９として構成されている。さらに、リング１８は、弾性的に変形可能なラッチ・フック２０を有し、このラッチ・フックにエアバッグ容器２２の溝２１が関係付けられる。ラッチ・フックは、リング１８上で一定の間隔を空けた個々のフックとして構成されても、リング１８の表面に環状に構成されてもよい。
【００２４】
エアバッグは、当該実施例では、図１および図２に図示される方法と類似の方法で構築される。即ち、保持リングは、折り重ねられた注入口終端部と共に、溝２１の領域まで、エアバッグ容器２２内に押し込まれる。次いで、リング１８は、ラッチ・フック２０が溝２１に係合し、保持リングが所定位置に位置づけられるまで、エアバッグ容器２２内に挿入される。従って、エアバッグは保持リングとリング１８との間にクランプされる。
【００２５】
図８に図示される乗員向きエアバッグのエアバッグ容器２３は、片側に開口部２４を有し、当該開口部はカバー部２５によって閉止されてもよい。図９の側面図において破線で示される保持リング２６は、この場合矩形であり、この実施例ではエアバッグの折り重なった終端部と共に開口部２４を通って、エアバッグ容器２３内に挿入される。次いで、カバー部は、図８および図９に図示されるように、エアバッグ容器２３が側部で閉止されるように配置されている。カバー部はネジよってエアバッグ容器に取り付けられてもよく、またはラッチ連結による取り付けであってもよい。特に図９から明らかなように、カバー部２５の内壁２７は、エアバッグ・ハウジングの対向側の内壁２８と同じ形状を有する。即ち、カバー部は、エアバッグ容器内に斜めに延在する張出部２９を有し、この張出部はエアバッグ容器内に斜めに延在するエアバッグ容器２３の張出部３０に対向する。保持リング２６は、エアバッグ容器２３のこの張出部がテーパー状（円錐形）断面であることによって保持される。
【００２６】
図１０および図１１では、運転者向きエアバッグ用のエアバッグ容器３１が図示されている。このエアバッグ容器は、容器内に斜めに延在する複数の容器内張出部３２を有し、当該容器内張出部は互いに離間して構成されている。そのため間隙部３３が存在し、当該間隙部では、エアバッグ容器３１の内壁は、外壁に平行に延在する。保持リング３４は、このエアバッグ容器３１に関連付けられるが、互いに離間して構成されている複数の突出部３５を有し、当該突出部は、図１４に見られるように、放射方向にエアバッグ容器３１の容器内張出部３２と等しい幅を有し、底部から最上部にかけてテーパーの断面形状を有する。図１３に見られるように、突出部３５間では保持リング３４の外壁は内壁に平行に延在する。
【００２７】
この実施例では、エアバッグの折り重なった終端部と共に保持リング３４は、保持リングの突出部３５がエアバッグ容器３１の間隙部３３に位置するようにエアバッグ容器３１内に挿入される。次いで、保持リング３４は、図１１のように、保持リングの突出部３５が完全にエアバッグ容器３１の容器内張出部３２の領域に到達するまで回転させられる。従って、容器内張出部３２とリング突出部３５の領域で、エアバッグは、前記の実施例と同様な方法でクランプによって取り付けられる。
【図面の簡単な説明】
【００２８】
【図１】本発明に係る構成を用いたエアバッグのための組み立て順序を示す。
【図２】本発明に係る構成を用いたエアバッグのための組み立て順序を示す。
【図３】本発明に係る構成を用いたエアバッグのための組み立て順序を示す。
【図４】保持リングが異なる断面を有する実施例を示す。
【図５】保持リングが異なる断面を有する実施例を示す。
【図６】保持リングが異なる断面を有する実施例を示す。
【図７】エアバッグ・ハウジングの更なる実施例を示す。
【図８】乗員向きエアバッグのための、カバー部を伴うエアバッグ容器の平面図を示す。
【図９】図８のＩＸ−ＩＸによる断面を示す。
【図１０】運転者向きエアバッグのためのエアバッグ容器の平面図を示す。
【図１１】図１０のＸＩ−ＸＩによる断面を示す。
【図１２】図１０に基づくエアバッグ容器用の保持リングの平面図を示す。
【図１３】図１２のＸＩＩＩ−ＸＩＩＩによる断面を示す。
【図１４】図１２のＸＩＶ−ＸＩＶによる断面を示す。
【符号の説明】
【００２９】
１  エアバッグ
２  注入口
３  保持リング
４  傾斜部
５  エアバッグ容器
５ａ  ガス発生器
６  張出部
７  傾斜部
８  保持リング
９  湾曲部
１０  凹状湾曲部
１１  エアバッグ容器
１２  保持リング
１３  凹状湾曲部
１４  エアバッグ容器
１５  保持リング
１６  凹状湾曲部
１７  エアバッグ容器
１８  リング
１９  傾斜部
２０  ラッチ・フック
２１  溝
２２  エアバッグ容器
２３  エアバッグ容器
２４  開口部
２５  カバー部
２６  保持リング
２７  カバー部内壁
２８  エアバッグ・ハウジング内壁
２９  カバー部張出部
３０  エアバッグ容器張出部
３１  エアバッグ容器
３２  容器内張出部
３３  間隙部
３４  保持リング
３５  突出部
【図１】
2009523093.tif 000003
【図２】
2009523093.tif 000004
【図３】
2009523093.tif 000005
【図４】
2009523093.tif 000006
【図５】
2009523093.tif 000007
【図６】
2009523093.tif 000008
【図７】
2009523093.tif 000009
【図８】
2009523093.tif 000010
【図９】
2009523093.tif 000011
【図１０】
2009523093.tif 000012
【図１１】
2009523093.tif 000013
【図１２】
2009523093.tif 000014
【図１３】
2009523093.tif 000015
【図１４】
2009523093.tif 000016
【手続補正書】
【提出日】平成20年9月24日(2008.9.24)
【手続補正１】
【補正対象書類名】特許請求の範囲
【補正対象項目名】全文
【補正方法】変更
【補正の内容】
【特許請求の範囲】
【請求項１】
クランプ連結によるエアバッグ・モジュール内のエアバッグ取り付け具であって、前記エアバッグ・モジュールは、前記エアバッグ・モジュールと保持リングの両方を包囲するエアバッグ容器内にて、前記エアバッグの注入口を保持するための前記保持リングと共に構成され、
前記保持リングは、前記エアバッグ展開時に生じる主引張方向において、外側面で減幅し、
前記エアバッグ容器または前記エアバッグ容器に対応する構成要素は、前記保持リング上方で、少なくとも部分的に前記保持リングの最大幅より小さい幅とされており、
前記注入口を形成する前記エアバッグの下端部は、前記保持リング上に折り重ねられ、前記保持リングと前記エアバッグ容器または前記対応する構成要素との間に延在し、
前記保持リング（３）は、断面では当該リング外側面にて、前記エアバッグ展開時に生じる主引張方向（Ｚ）に少なくとも１箇所の円錐状テーパー部（４）を有し、前記エアバッグ容器（５）または前記対応する構成要素（１８）の内壁の少なくとも略同方向に延在する箇所（７）は、当該テーパー箇所と関連づけられることを特徴とするエアバッグ取り付け具。
【請求項２】
請求項１に記載のエアバッグ取り付け具であって、前記保持リングは、円形、矩形または楕円形であることを特徴とするエアバッグ取り付け具。
【請求項３】
請求項１または２に記載のエアバッグ取り付け具であって、前記保持リング（２６）の前記挿入のための前記エアバッグ容器（２３）は、片側に開口部（２４）を有し、当該開口部はカバー部（２５）によって閉止可能とされていることを特徴とするエアバッグ取り付け具。
【請求項４】
請求項３に記載のエアバッグ取り付け具であって、前記カバー部（２５）の内壁（２７）は、前記エアバッグ容器（２３）の対向側の壁（２８）と同等形状を有することを特徴とするエアバッグ取り付け具。
【請求項５】
請求項１または２に記載のエアバッグ取り付け具であって、環状保持リング（３４）を使用する際、前記エアバッグ容器（３１）と前記保持リング（３４）は、前記エアバッグ容器（３１）内にてバヨネット式閉止方法によって前記保持リング（３４）の取り付けを可能とする部分を有することを特徴とするエアバッグ取り付け具。
【請求項６】
請求項１から５のいずれか一項に記載のエアバッグ取り付け具であって、前記エアバッグ（１）の前記注入口（２）は、筒状とされていることを特徴とするエアバッグ取り付け具。
【手続補正２】
【補正対象書類名】明細書
【補正対象項目名】全文
【補正方法】変更
【補正の内容】
【書類名】  明細書
【発明の名称】  クランプ連結によるエアバッグ・モジュール内エアバッグ取り付け具
【技術分野】
【０００１】
本発明は、請求項１の前段部分に基づく、クランプ結合によるエアバッグ・モジュール内のエアバッグ取り付け具に関する。
【背景技術】
【０００２】
エアバッグ端部を貫通して延在するネジ連結に依らずにエアバッグが保持される、クランプ連結によるエアバッグ取り付け具は、多くの実施例にて公知である。ＵＳ特許５９３１４９１号では、エアバッグの注入口がガス発生器の下端部とエアバッグ・ハウジングの下端部との間に延在し、エアバッグ・ハウジングの外部を取り巻くクランプ部によって前記構成要素間にクランプされるエアバッグ取り付け具が公知である。この構成の欠点は、充分なクランプ効果を得るため、エアバッグをクランプするためのクランプ部の端部は互いにネジ止めされなければならないことである。
【特許文献１】  ＵＳ５９３１４９１号
【０００３】
さらにクランプ・リングを用いたエアバッグ取り付け具はＵＳ特許５８２６９１３号により公知である。この構成では、保持リングは、エアバッグの注入口の端部に設けられる。エアバッグの注入口端部は、保持リングを封入し、エアバッグの端部が固定されるように、当該保持リングがクランプ・リングにより取り付けプレートに押圧される。この構成は、クランプ・リングが複雑な構造となってしまうという欠点を有する。
【特許文献２】  ＵＳ５８２６９１３号
【０００４】
さらに、ＵＳ特許５５７７７６３号に係るエアバッグ・モジュールでは、円形の断面を有する保持リングは、注入口の端部に縫い込まれている。この注入口は、エアバッグの取り付け後に、キャリア・プレートとクランプ・リングとの間にクランプされ、当該クランプ・リングは部分的に保持リングの断面に沿った形状である。この構成では、クランプ・リングおよび取り付けプレートは共に複雑な形状を有する。
【特許文献３】  ＵＳ５５７７７６３号
【発明の開示】
【発明が解決しようとする課題】
【０００５】
本発明は、クランプによるエアバッグ・モジュール内でのエアバッグ注入口の取り付けを簡素化することを課題とする。
【課題を解決するための手段】
【０００６】
本発明に基づき、この課題は請求項１の特徴に基づいて解決される。
【０００７】
クランプ連結によるエアバッグ・モジュール内でのエアバッグの取り付け具において、エアバッグ・モジュールは、エアバッグの注入口を保持するための保持リングと共に、エアバッグ・モジュールと保持リングの両方を包囲するエアバッグ容器内に構成され、本発明に基づき、保持リングは、エアバッグ展開時に生じる主引張方向にて、外側面が減幅する。さらに、エアバッグ容器またはこれに付随する構成要素は、保持リングの上方で、保持リングの最大幅より少なくとも部分的に小さい幅を有し、注入口を形成するエアバッグの下端部は、保持リング上に折り重ねられ、保持リングとエアバッグ容器またはこれに対応する構成要素との間に延在する。
【０００８】
前記構成は、保持リングの特殊な断面形状のため、エアバッグ容器がクランプ連結のために使用可能であるという利点を有する。従って、エアバッグ容器から独立して構成される追加的なクランプ・リングは不要である。さらに重要な利点は、本発明に係る構成が、セルフ・ロック式に作用することである。展開中のエアバッグの引張力が強まるほど、クランプされたエアバッグに掛かる圧力が大きくなり、その結果、エアバッグのセルフ・ロック式の確実な連結が保証される。
【０００９】
好ましい実施例では、保持リングは、エアバッグ展開時に生じる主引張方向にて、外側面に少なくとも１箇所の円錐状テーパー部を有する断面を有し、当該テーパー部に、少なくとも略同方向に延在するエアバッグ容器または対応する構成要素の内壁が関連付けられる。従って、主引張方向にて、保持リングは、外直径が次第に小さく、および／または減幅になり、エアバッグ容器内壁の同方向に延在する箇所もまた同様に、主引張方向に減幅になる。
【００１０】
更なる実施例では、保持リングは、外側面上にて湾曲した構造を有する。この実施例の更なる変更例では、保持リングが円形または楕円形の断面を有する様に構成されている。
【００１１】
保持リングは、環状の構造であることが好ましいが、矩形、または楕円形の構造であってもよい。
【００１２】
保持リングをエアバッグ容器内に容易な方法で導入するため、様々な実施例が提案され得る。従って、エアバッグ容器の保持リングに対応する箇所は、少なくとも１つの分離した構成要素であり、保持リング導入後にエアバッグ容器内にエアバッグと共に挿入されてもよいことが提案されている。好ましくは、この構成要素は、エアバッグ容器にラッチ係合されてもよい。
【００１３】
挿入可能な構成要素は、リングとして構成されることが好ましい。エアバッグ容器内に取り付けるために、挿入可能な構成要素は、ラッチ・フックを有し、当該ラッチ・フックにエアバッグ容器内の溝が関連付けられる。ラッチ・フックは互いに離間して構成されている個別のフックであっても、また環状に構成されていてもよい。
【００１４】
乗員向きエアバッグ用の矩形保持リングに特に好適な、更なる実施例では、保持リングの挿入のためエアバッグ容器は、片側に開口部を有する。当該開口部は、カバー部によって閉止されてもよい。カバー部の内壁がエアバッグ容器の対向側の壁と同じ形状を有することが好ましく、その結果、保持リング上方のこの領域ではエアバッグ容器もまた、保持リングの最大幅より小さい幅を有する。
【００１５】
特に運転者向きエアバッグ用である環状の保持リングを使用する際、エアバッグ容器および保持リングは、エアバッグ容器内において、バヨネット式（抜け止め式の）閉止方法にて保持リングの取り付けを可能とする箇所を複数有してもよい。この連結では、保持リングは、エアバッグの折り返し端部と共にエアバッグ容器内に挿入、次いで回転され、その結果、保持リングの当該箇所は、エアバッグ容器の対応する箇所の下に係合する。
【００１６】
エアバッグの注入口を筒状とするのが好適である。
【発明を実施するための最良の形態】
【００１７】
図１では、エアバッグ１の一部が筒状注入口２と共に図示され、当該部分に保持リング３が取り付けられる。この保持リング３は、外側面に傾斜部４を有し、当該傾斜部は、エアバッグ１の展開時に生じる主引張方向（Ｚ）にこの保持リングが減幅するよう延在する。エアバッグ取り付け中に、エアバッグ１の注入口２は、第一段階では、図１に図示されるように、保持リング３を貫通して誘導される。次いで、注入口端部は、図２に図示されるように、保持リング３上に重ねられる。
【００１８】
エアバッグ容器５は、保持リングに面した側面にて、保持リング３と同方向に幅が変化する張出部６を有し、そのため、保持リング３の傾斜部４とエアバッグ容器５の張出部６の傾斜部７は、互いに略平行に延在する。図２に図示されるように、保持リングが注入口２の折り重ねられた端部と共に、図３に図示されるように容器終端位置に到達するまで、張出部６の領域に押し込まれることにより、エアバッグ１はエアバッグ容器内に取り付けられる。
【００１９】
エアバッグ１の展開時に、引張力Ｆｚｕｇの結果、保持リング３は、張出部６に押圧される。よって、保持リングとリング保持部との間に位置する注入口２の終端部はクランプされる。この連結部では、前記構成はセルフ・ロッキング状に作用する。これは、展開中のエアバッグの引張力Ｆｚｕｇが大きいほど、クランプされた注入口終端部に、結果的に生じる圧力が大きくなるためである。
【００２０】
本発明に係る構成は、保持リングに関して、図１から図３に図示された断面形状と異なる断面形状を有することも可能である。このため、図４では、保持リング８が外側面に湾曲部９を有することが示されている。エアバッグ容器１１の凹状湾曲部１０は、凸状に延在するこの湾曲部に対応する。
【００２１】
図５では、円形の断面を有する保持リングに関する構成が図示されている。エアバッグ容器１４の凹状湾曲部１３が、この保持リングと対応する。
【００２２】
図６では、楕円形の断面を有する保持リング１５に関する構成が図示されている。エアバッグ容器１７の凹状湾曲部１６もまた、この保持リングに対応する。
【００２３】
図７では、保持リングに関連付けられる箇所が、分離したリング１８として構成されていることが、実施例にて図示されている。当該リングもまた、保持リングに対応した面を有し、当該表面は、この実施例では傾斜部１９として構成されている。さらに、リング１８は、弾性的に変形可能なラッチ・フック２０を有し、このラッチ・フックにエアバッグ容器２２の溝２１が関係付けられる。ラッチ・フックは、リング１８上で一定の間隔を空けた個々のフックとして構成されても、リング１８の表面に環状に構成されてもよい。
【００２４】
エアバッグは、当該実施例では、図１および図２に図示される方法と類似の方法で構築される。即ち、保持リングは、折り重ねられた注入口終端部と共に、溝２１の領域まで、エアバッグ容器２２内に押し込まれる。次いで、リング１８は、ラッチ・フック２０が溝２１に係合し、保持リングが所定位置に位置づけられるまで、エアバッグ容器２２内に挿入される。従って、エアバッグは保持リングとリング１８との間にクランプされる。
【００２５】
図８に図示される乗員向きエアバッグのエアバッグ容器２３は、片側に開口部２４を有し、当該開口部はカバー部２５によって閉止されてもよい。図９の側面図において破線で示される保持リング２６は、この場合矩形であり、この実施例ではエアバッグの折り重なった終端部と共に開口部２４を通って、エアバッグ容器２３内に挿入される。次いで、カバー部は、図８および図９に図示されるように、エアバッグ容器２３が側部で閉止されるように配置されている。カバー部はネジよってエアバッグ容器に取り付けられてもよく、またはラッチ連結による取り付けであってもよい。特に図９から明らかなように、カバー部２５の内壁２７は、エアバッグ・ハウジングの対向側の内壁２８と同じ形状を有する。即ち、カバー部は、エアバッグ容器内に斜めに延在する張出部２９を有し、この張出部はエアバッグ容器内に斜めに延在するエアバッグ容器２３の張出部３０に対向する。保持リング２６は、エアバッグ容器２３のこの張出部がテーパー状（円錐形）断面であることによって保持される。
【００２６】
図１０および図１１では、運転者向きエアバッグ用のエアバッグ容器３１が図示されている。このエアバッグ容器は、容器内に斜めに延在する複数の容器内張出部３２を有し、当該容器内張出部は互いに離間して構成されている。そのため間隙部３３が存在し、当該間隙部では、エアバッグ容器３１の内壁は、外壁に平行に延在する。保持リング３４は、このエアバッグ容器３１に関連付けられるが、互いに離間して構成されている複数の突出部３５を有し、当該突出部は、図１４に見られるように、放射方向にエアバッグ容器３１の容器内張出部３２と等しい幅を有し、底部から最上部にかけてテーパーの断面形状を有する。図１３に見られるように、突出部３５間では保持リング３４の外壁は内壁に平行に延在する。
【００２７】
この実施例では、エアバッグの折り重なった終端部と共に保持リング３４は、保持リングの突出部３５がエアバッグ容器３１の間隙部３３に位置するようにエアバッグ容器３１内に挿入される。次いで、保持リング３４は、図１１のように、保持リングの突出部３５が完全にエアバッグ容器３１の容器内張出部３２の領域に到達するまで回転させられる。従って、容器内張出部３２とリング突出部３５の領域で、エアバッグは、前記の実施例と同様な方法でクランプによって取り付けられる。
【００２８】
本発明では、「クランプ連結によるエアバッグ・モジュール内のエアバッグ取り付け具であって、前記エアバッグ・モジュールは、前記エアバッグ・モジュールと保持リングの両方を包囲するエアバッグ容器内にて、前記エアバッグの注入口を保持するための前記保持リングと共に構成され、前記保持リングは、前記エアバッグ展開時に生じる主引張方向において、外側面で減幅し、前記エアバッグ容器または前記エアバッグ容器に対応する構成要素は、前記保持リング上方で、少なくとも部分的に前記保持リングの最大幅より小さい幅とされており、前記注入口を形成する前記エアバッグの下端部は、前記保持リング上に折り重ねられ、前記保持リングと前記エアバッグ容器または前記対応する構成要素との間に延在し、前記保持リング（３）は、断面では当該リング外側面にて、前記エアバッグ展開時に生じる主引張方向（Ｚ）に少なくとも１箇所の円錐状テーパー部（４）を有し、前記エアバッグ容器（５）または前記対応する構成要素（１８）の内壁の少なくとも略同方向に延在する箇所（７）は、当該テーパー箇所と関連づけられるエアバッグ取り付け具、或いは更に前記保持リングは、円形、矩形または楕円形であるエアバッグ取り付け具であって、
前記保持リングと対応する前記エアバッグ容器（２２）の箇所は、少なくとも１つの分離した構成要素（１８）として構成され、当該構成要素は、前記保持リングを導入後、前記エアバッグ容器（２２）内に前記エアバッグ（１）と共に挿入可能とされていることを特徴とするエアバッグ取り付け具」という態様（態様１）が想到される。
また本発明では、「前記態様１に記載のエアバッグ取り付け具であって、前記挿入可能な構成要素（１８）は、前記エアバッグ容器（２２）にラッチ係合可能とされていることを特徴とするエアバッグ取り付け具」という態様（態様２）が想到される。
また本発明では、「前記態様１または２に記載のエアバッグ取り付け具であって、前記挿入可能な構成要素は、リング（１８）として構成されることを特徴とするエアバッグ取り付け具」という態様（態様３）が想到される。
また本発明では、「前記態様１から３のいずれかに記載のエアバッグ取り付け具であって、前記挿入可能な構成要素（１８）は、ラッチ・フック（２０）を有し、当該ラッチ・フックと前記エアバッグ容器（２２）内の溝（２１）が協働することを特徴とするエアバッグ取り付け具」という態様（態様４）が想到される。
また本発明では、「前記態様１から４のいずれかに記載のエアバッグ取り付け具であって、前記ラッチ・フック（２０）は、互いに離間して構成される分離したフックとして構成されることを特徴とするエアバッグ取り付け具」という態様（態様５）が想到される。
また本発明では、「前記態様１から５のいずれかに記載のエアバッグ取り付け具であって、前記ラッチ・フック（２０）は、環状に形成されていることを特徴とするエアバッグ取り付け具」という態様（態様６）が想到される。
【図面の簡単な説明】
【００２９】
【図１】
本発明に係る構成を用いたエアバッグのための組み立て順序を示す。
【図２】
本発明に係る構成を用いたエアバッグのための組み立て順序を示す。
【図３】
本発明に係る構成を用いたエアバッグのための組み立て順序を示す。
【図４】
保持リングが異なる断面を有する実施例を示す。
【図５】
保持リングが異なる断面を有する実施例を示す。
【図６】
保持リングが異なる断面を有する実施例を示す。
【図７】
エアバッグ・ハウジングの更なる実施例を示す。
【図８】
乗員向きエアバッグのための、カバー部を伴うエアバッグ容器の平面図を示す。
【図９】
図８のＩＸ−ＩＸによる断面を示す。
【図１０】
運転者向きエアバッグのためのエアバッグ容器の平面図を示す。
【図１１】
図１０のＸＩ−ＸＩによる断面を示す。
【図１２】
図１０に基づくエアバッグ容器用の保持リングの平面図を示す。
【図１３】
図１２のＸＩＩＩ−ＸＩＩＩによる断面を示す。
【図１４】
図１２のＸＩＶ−ＸＩＶによる断面を示す。
【符号の説明】
【００２９】
１  エアバッグ
２  注入口
３  保持リング
４  傾斜部
５  エアバッグ容器
５ａ  ガス発生器
６  張出部
７  傾斜部
８  保持リング
９  湾曲部
１０  凹状湾曲部
１１  エアバッグ容器
１２  保持リング
１３  凹状湾曲部
１４  エアバッグ容器
１５  保持リング
１６  凹状湾曲部
１７  エアバッグ容器
１８  リング
１９  傾斜部
２０  ラッチ・フック
２１  溝
２２  エアバッグ容器
２３  エアバッグ容器
２４  開口部
２５  カバー部
２６  保持リング
２７  カバー部内壁
２８  エアバッグ・ハウジング内壁
２９  カバー部張出部
３０  エアバッグ容器張出部
３１  エアバッグ容器
３２  容器内張出部
３３  間隙部
３４  保持リング
３５  突出部
【国際調査報告】
2009523093.tif 000017
2009523093.tif 000018
2009523093.tif 000019
2009523093.tif 000020
2009523093.tif 000021
2009523093.tif 000022